【手続補正書】
【提出日】平成30年10月4日(2018.10.4)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信の方法であって、
１つまたは複数の近接ＵＥからそれぞれ１つまたは複数のデバイスツーデバイス（Ｄ２Ｄ）信号を受信することと、
前記１つまたは複数のＤ２Ｄ信号の１つまたは複数のトラフィック部分を受信するために使用される１つまたは複数のリソース要素の信号強度、または前記１つまたは複数のＤ２Ｄ信号の１つまたは複数のデータ部を受信するために使用される１つまたは複数のリソース要素の信号強度のうちの少なくとも１つに少なくとも部分的に基づいて、前記１つまたは複数のＤ２Ｄ信号の信号強度を測定することと
を備える、方法。
【請求項２】
前記１つまたは複数のＤ２Ｄ信号の前記信号強度の前記測定に基づいて、中継ＵＥとして前記１つまたは複数の近接ＵＥのうちの１つを選択することと、
前記選択された中継ＵＥを介して基地局と通信するために、Ｄ２Ｄ通信を介して、前記選択された中継ＵＥと通信することと
をさらに備える、請求項１に記載の方法。
【請求項３】
前記１つまたは複数のＤ２Ｄ信号の各々は、対応する近接ＵＥが、前記基地局と通信するために使用される中継器として利用可能であることを示す、
請求項２に記載の方法。
【請求項４】
前記１つまたは複数のＤ２Ｄ信号の各々は、対応するＤ２Ｄ発見信号中に含まれる、
請求項１に記載の方法。
【請求項５】
前記対応するＤ２Ｄ発見信号は、物理サイドリンク発見チャネル（ＰＳＤＣＨ）上で受信される、
請求項４に記載の方法。
【請求項６】
前記１つまたは複数のＤ２Ｄ信号の各々は、対応するＤ２Ｄ通信信号中に含まれる、
請求項１に記載の方法。
【請求項７】
前記１つまたは複数のデータ部分と１つまたは複数の基準信号部分とを含む前記１つまたは複数のトラフィック部分は、物理サイドリンク共有チャネル（ＰＳＳＣＨ）上で受信される、
請求項６に記載の方法。
【請求項８】
前記１つまたは複数のＤ２Ｄ信号の１つまたは複数の制御部分は、物理サイドリンク制御チャネル（ＰＳＣＣＨ）上で受信される、
請求項６に記載の方法。
【請求項９】
前記ＵＥは、任意の基地局のカバレージ外にある、
請求項１に記載の方法。
【請求項１０】
前記１つまたは複数のＤ２Ｄ信号の前記１つまたは複数のデータ部を受信するために使用される前記１つまたは複数のリソース要素の前記信号強度は、前記１つまたは複数のＤ２Ｄ信号の前記１つまたは複数のデータ部を受信するために使用される前記１つまたは複数のリソース要素の基準信号受信電力（ＲＳＲＰ）または基準信号受信品質（ＲＳＲＱ）のうちの少なくとも１つに基づく、
請求項１に記載の方法。
【請求項１１】
ワイヤレス通信のためのユーザ機器（ＵＥ）であって、
１つまたは複数の近接ＵＥからそれぞれ１つまたは複数のデバイスツーデバイス（Ｄ２Ｄ）信号を受信するための手段と、
前記１つまたは複数のＤ２Ｄ信号の１つまたは複数のトラフィック部分を受信するために使用される１つまたは複数のリソース要素の信号強度、または前記１つまたは複数のＤ２Ｄ信号の１つまたは複数のデータ部を受信するために使用される１つまたは複数のリソース要素の信号強度のうちの少なくとも１つに少なくとも部分的に基づいて、前記１つまたは複数のＤ２Ｄ信号の信号強度を測定するための手段と
を備える、ＵＥ。
【請求項１２】
前記１つまたは複数のＤ２Ｄ信号の前記信号強度の前記測定に基づいて、中継ＵＥとして前記１つまたは複数の近接ＵＥのうちの１つを選択するための手段と、
前記選択された中継ＵＥを介して基地局と通信するために、Ｄ２Ｄ通信を介して、前記選択された中継ＵＥと通信するための手段と
をさらに備える、請求項１１に記載のＵＥ。
【請求項１３】
前記１つまたは複数のＤ２Ｄ信号の各々は、対応する近接ＵＥが、前記基地局と通信するために使用される中継器として利用可能であることを示す、
請求項１２に記載のＵＥ。
【請求項１４】
前記１つまたは複数のＤ２Ｄ信号の各々は、対応するＤ２Ｄ発見信号中に含まれる、
請求項１１に記載のＵＥ。
【請求項１５】
前記対応するＤ２Ｄ発見信号は、物理サイドリンク発見チャネル（ＰＳＤＣＨ）上で受信される、
請求項１４に記載のＵＥ。
【請求項１６】
前記１つまたは複数のＤ２Ｄ信号の各々は、対応するＤ２Ｄ通信信号中に含まれる、
請求項１１に記載のＵＥ。
【請求項１７】
前記１つまたは複数のデータ部分と１つまたは複数の基準信号部分とを含む前記１つまたは複数のトラフィック部分は、物理サイドリンク共有チャネル（ＰＳＳＣＨ）上で受信される、
請求項１６に記載のＵＥ。
【請求項１８】
前記１つまたは複数のＤ２Ｄ信号の１つまたは複数の制御部分は、物理サイドリンク制御チャネル（ＰＳＣＣＨ）上で受信される、
請求項１６に記載のＵＥ。
【請求項１９】
前記ＵＥは、任意の基地局のカバレージ外にある、
請求項１１に記載のＵＥ。
【請求項２０】
前記１つまたは複数のＤ２Ｄ信号の前記１つまたは複数のデータ部を受信するために使用される前記１つまたは複数のリソース要素の前記信号強度は、前記１つまたは複数のＤ２Ｄ信号の前記１つまたは複数のデータ部を受信するために使用される前記１つまたは複数のリソース要素の基準信号受信電力（ＲＳＲＰ）または基準信号受信品質（ＲＳＲＱ）のうちの少なくとも１つに基づく、
請求項１１に記載のＵＥ。
【請求項２１】
ワイヤレス通信のためのユーザ機器（ＵＥ）であって、
メモリと、
前記メモリに結合された少なくとも１つのプロセッサと
を備え、前記少なくとも１つのプロセッサは、
１つまたは複数の近接ＵＥからそれぞれ１つまたは複数のデバイスツーデバイス（Ｄ２Ｄ）信号を受信することと、
前記１つまたは複数のＤ２Ｄ信号の１つまたは複数のトラフィック部分を受信するために使用される１つまたは複数のリソース要素の信号強度、または前記１つまたは複数のＤ２Ｄ信号の１つまたは複数のデータ部を受信するために使用される１つまたは複数のリソース要素の信号強度のうちの少なくとも１つに少なくとも部分的に基づいて、前記１つまたは複数のＤ２Ｄ信号の信号強度を測定することと
を行うように構成される、ＵＥ。
【請求項２２】
前記少なくとも１つのプロセッサは、
前記１つまたは複数のＤ２Ｄ信号の前記信号強度の前記測定に基づいて、中継ＵＥとして前記１つまたは複数の近接ＵＥのうちの１つを選択することと、
前記選択された中継ＵＥを介して基地局と通信するために、Ｄ２Ｄ通信を介して、前記選択された中継ＵＥと通信することと
を行うようにさらに構成される、請求項２１に記載のＵＥ。
【請求項２３】
前記１つまたは複数のＤ２Ｄ信号の各々は、対応する近接ＵＥが、前記基地局と通信するために使用されるリレーとして利用可能であることを示す、
請求項２２に記載のＵＥ。
【請求項２４】
前記１つまたは複数のＤ２Ｄ信号の各々は、対応するＤ２Ｄ発見信号中に含まれる、
請求項２１に記載のＵＥ。
【請求項２５】
前記対応するＤ２Ｄ発見信号は、物理サイドリンク発見チャネル（ＰＳＤＣＨ）上で受信される、
請求項２４に記載のＵＥ。
【請求項２６】
前記１つまたは複数のＤ２Ｄ信号の各々は、対応するＤ２Ｄ通信信号中に含まれる、
請求項２１に記載のＵＥ。
【請求項２７】
前記１つまたは複数のデータ部分と１つまたは複数の基準信号部分とを含む前記１つまたは複数のトラフィック部分は、物理サイドリンク共有チャネル（ＰＳＳＣＨ）上で受信される、
請求項２６に記載のＵＥ。
【請求項２８】
前記１つまたは複数のＤ２Ｄ信号の１つまたは複数の制御部分は、物理サイドリンク制御チャネル（ＰＳＣＣＨ）上で受信される、
請求項２６に記載のＵＥ。
【請求項２９】
前記１つまたは複数のＤ２Ｄ信号の前記１つまたは複数のデータ部を受信するために使用される前記１つまたは複数のリソース要素の前記信号強度は、前記１つまたは複数のＤ２Ｄ信号の前記１つまたは複数のデータ部を受信するために使用される前記１つまたは複数のリソース要素の基準信号受信電力（ＲＳＲＰ）または基準信号受信品質（ＲＳＲＱ）のうちの少なくとも１つに基づく、
請求項２１に記載のＵＥ。
【請求項３０】
ワイヤレス通信のためのコンピュータ実行可能コードを記憶する非一時的コンピュータ可読媒体であって、
１つまたは複数の近接ＵＥからそれぞれ１つまたは複数のデバイスツーデバイス（Ｄ２Ｄ）信号を受信することと、
前記１つまたは複数のＤ２Ｄ信号の１つまたは複数のトラフィック部分を受信するために使用される１つまたは複数のリソース要素の信号強度、または前記１つまたは複数のＤ２Ｄ信号の１つまたは複数のデータ部を受信するために使用される１つまたは複数のリソース要素の信号強度のうちの少なくとも１つに少なくとも部分的に基づいて、前記１つまたは複数のＤ２Ｄ信号の信号強度を測定することと
を行うためのコードを備える、非一時的コンピュータ可読媒体。
【手続補正２】
【補正対象書類名】明細書
【補正対象項目名】００６６
【補正方法】変更
【補正の内容】
【００６６】
[0074]以上の説明は、当業者が本明細書で説明された様々な態様を実施できるようにするために与えられた。これらの態様への様々な変更は当業者には容易に明らかであり、本明細書で定義された一般原理は他の態様に適用され得る。したがって、特許請求の範囲は、本明細書で示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。「例示的」という単語は、本明細書では「例、事例、または例示の働きをすること」を意味するために使用される。「例示的」として本明細書で説明されたいかなる態様も、必ずしも他の態様よりも好適または有利であると解釈されるべきであるとは限らない。別段に明記されていない限り、「いくつか（some）」という語は１つまたは複数を指す。「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。具体的には、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、いかなるそのような組合せも、Ａ、Ｂ、またはＣのうちの１つまたは複数のメンバーを含んでいることがある。当業者に知られている、または後に知られることになる、本開示全体にわたって説明された様々な態様の要素のすべての構造的および機能的等価物は、参照により本明細書に明確に組み込まれ、特許請求の範囲に包含されるものである。その上、本明細書で開示されたいかなることも、そのような開示が特許請求の範囲に明示的に具陳されているかどうかにかかわらず、公に供するものではない。「モジュール」、「機構」、「要素」、「デバイス」などという単語は、「手段」という単語の代用でないことがある。したがって、いかなるクレーム要素も、その要素が「のための手段」という語句を使用して明確に具陳されていない限り、ミーンズプラスファンクションとして解釈されるべきではない。  以下に、本願出願の当初の特許請求の範囲に記載された発明を付記する。
［Ｃ１］
ユーザ機器（ＵＥ）によるワイヤレス通信の方法であって、
１つまたは複数の近接ＵＥからそれぞれ１つまたは複数のデバイスツーデバイス（Ｄ２Ｄ）信号を受信することと、
前記１つまたは複数のＤ２Ｄ信号の１つまたは複数の基準信号を受信するために使用される１つまたは複数のリソース要素の信号強度、または前記１つまたは複数のＤ２Ｄ信号の１つまたは複数のデータ部を受信するために使用される１つまたは複数のリソース要素の信号強度のうちの少なくとも１つに少なくとも部分的に基づいて、前記１つまたは複数のＤ２Ｄ信号の信号強度を測定することと
を備える、方法。
［Ｃ２］
前記１つまたは複数のＤ２Ｄ信号の前記信号強度の前記測定に基づいて、中継ＵＥとして前記１つまたは複数の近接ＵＥのうちの１つを選択することと、
前記選択された中継ＵＥを介して基地局と通信するために、Ｄ２Ｄ通信を介して、前記選択された中継ＵＥと通信することと
をさらに備える、［Ｃ１］に記載の方法。
［Ｃ３］
前記１つまたは複数のＤ２Ｄ信号の各々は、対応する近接ＵＥが、前記基地局と通信するために使用される中継器として利用可能であることを示す、
［Ｃ２］に記載の方法。
［Ｃ４］
前記１つまたは複数のＤ２Ｄ信号の各々は、対応するＤ２Ｄ発見信号中に含まれる、
［Ｃ１］に記載の方法。
［Ｃ５］
前記対応するＤ２Ｄ発見信号は、物理サイドリンク発見チャネル（ＰＳＤＣＨ）上で受信される、
［Ｃ４］に記載の方法。
［Ｃ６］
前記１つまたは複数のＤ２Ｄ信号の各々は、対応するＤ２Ｄ通信信号中に含まれる、
［Ｃ１］に記載の方法。
［Ｃ７］
前記１つまたは複数のＤ２Ｄ信号の前記１つまたは複数のデータ部分と前記１つまたは複数の基準信号とは、物理サイドリンク共有チャネル（ＰＳＳＣＨ）上で受信される、
［Ｃ６］に記載の方法。
［Ｃ８］
前記１つまたは複数のＤ２Ｄ信号の前記１つまたは複数の制御信号は、物理サイドリンク制御チャネル（ＰＳＣＣＨ）上で受信される、
［Ｃ６］に記載の方法。
［Ｃ９］
前記ＵＥは、任意の基地局のカバレージ外にある、
［Ｃ１］に記載の方法。
［Ｃ１０］
前記１つまたは複数のＤ２Ｄ信号の前記１つまたは複数のデータ部を受信するために使用される前記１つまたは複数のリソース要素の前記信号強度は、前記１つまたは複数のＤ２Ｄ信号の前記１つまたは複数のデータ部を受信するために使用される前記１つまたは複数のリソース要素の基準信号受信電力（ＲＳＲＰ）または基準信号受信品質（ＲＳＲＱ）のうちの少なくとも１つに基づく、
［Ｃ１］に記載の方法。
［Ｃ１１］
ワイヤレス通信のためのユーザ機器（ＵＥ）であって、
１つまたは複数の近接ＵＥからそれぞれ１つまたは複数のデバイスツーデバイス（Ｄ２Ｄ）信号を受信するための手段と、
前記１つまたは複数のＤ２Ｄ信号の１つまたは複数の基準信号を受信するために使用される１つまたは複数のリソース要素の信号強度、または前記１つまたは複数のＤ２Ｄ信号の１つまたは複数のデータ部を受信するために使用される１つまたは複数のリソース要素の信号強度のうちの少なくとも１つに少なくとも部分的に基づいて、前記１つまたは複数のＤ２Ｄ信号の信号強度を測定するための手段と
を備える、ＵＥ。
［Ｃ１２］
前記１つまたは複数のＤ２Ｄ信号の前記信号強度の前記測定に基づいて、中継ＵＥとして前記１つまたは複数の近接ＵＥのうちの１つを選択するための手段と、
前記選択された中継ＵＥを介して基地局と通信するために、Ｄ２Ｄ通信を介して、前記選択された中継ＵＥと通信するための手段と
をさらに備える、［Ｃ１１］に記載のＵＥ。
［Ｃ１３］
前記１つまたは複数のＤ２Ｄ信号の各々は、対応する近接ＵＥが、前記基地局と通信するために使用される中継器として利用可能であることを示す、
［Ｃ１２］に記載のＵＥ。
［Ｃ１４］
前記１つまたは複数のＤ２Ｄ信号の各々は、対応するＤ２Ｄ発見信号中に含まれる、
［Ｃ１１］に記載のＵＥ。
［Ｃ１５］
前記対応するＤ２Ｄ発見信号は、物理サイドリンク発見チャネル（ＰＳＤＣＨ）上で受信される、
［Ｃ１４］に記載のＵＥ。
［Ｃ１６］
前記１つまたは複数のＤ２Ｄ信号の各々は、対応するＤ２Ｄ通信信号中に含まれる、
［Ｃ１１］に記載のＵＥ。
［Ｃ１７］
前記１つまたは複数のＤ２Ｄ信号の前記１つまたは複数のデータ部分と前記１つまたは複数の基準信号とは、物理サイドリンク共有チャネル（ＰＳＳＣＨ）上で受信される、
［Ｃ１６］に記載のＵＥ。
［Ｃ１８］
前記１つまたは複数のＤ２Ｄ信号の１つまたは複数の制御信号は、物理サイドリンク制御チャネル（ＰＳＣＣＨ）上で受信される、
［Ｃ１６］に記載のＵＥ。
［Ｃ１９］
前記ＵＥは、任意の基地局のカバレージ外にある、
［Ｃ１１］に記載のＵＥ。
［Ｃ２０］
前記１つまたは複数のＤ２Ｄ信号の前記１つまたは複数のデータ部を受信するために使用される前記１つまたは複数のリソース要素の前記信号強度は、前記１つまたは複数のＤ２Ｄ信号の前記１つまたは複数のデータ部を受信するために使用される前記１つまたは複数のリソース要素の基準信号受信電力（ＲＳＲＰ）または基準信号受信品質（ＲＳＲＱ）のうちの少なくとも１つに基づく、
［Ｃ１１］に記載のＵＥ。
［Ｃ２１］
ワイヤレス通信のためのユーザ機器（ＵＥ）であって、
メモリと、
前記メモリに結合された少なくとも１つのプロセッサと
を備え、前記少なくとも１つのプロセッサは、
１つまたは複数の近接ＵＥからそれぞれ１つまたは複数のデバイスツーデバイス（Ｄ２Ｄ）信号を受信することと、
前記１つまたは複数のＤ２Ｄ信号の１つまたは複数の基準信号を受信するために使用される１つまたは複数のリソース要素の信号強度、または前記１つまたは複数のＤ２Ｄ信号の１つまたは複数のデータ部を受信するために使用される１つまたは複数のリソース要素の信号強度のうちの少なくとも１つに少なくとも部分的に基づいて、前記１つまたは複数のＤ２Ｄ信号の信号強度を測定することと
を行うように構成される、ＵＥ。
［Ｃ２２］
前記少なくとも１つのプロセッサは、
前記１つまたは複数のＤ２Ｄ信号の前記信号強度の前記測定に基づいて、中継ＵＥとして前記１つまたは複数の近接ＵＥのうちの１つを選択することと、
前記選択された中継ＵＥを介して基地局と通信するために、Ｄ２Ｄ通信を介して、前記選択された中継ＵＥと通信することと
を行うようにさらに構成される、［Ｃ２１］に記載のＵＥ。
［Ｃ２３］
前記１つまたは複数のＤ２Ｄ信号の各々は、対応する近接ＵＥが、前記基地局と通信するために使用されるリレーとして利用可能であることを示す、
［Ｃ２２］に記載のＵＥ。
［Ｃ２４］
前記１つまたは複数のＤ２Ｄ信号の各々は、対応するＤ２Ｄ発見信号中に含まれる、
［Ｃ２１］に記載のＵＥ。
［Ｃ２５］
前記対応するＤ２Ｄ発見信号は、物理サイドリンク発見チャネル（ＰＳＤＣＨ）上で受信される、
［Ｃ２４］に記載のＵＥ。
［Ｃ２６］
前記１つまたは複数のＤ２Ｄ信号の各々は、対応するＤ２Ｄ通信信号中に含まれる、
［Ｃ２１］に記載のＵＥ。
［Ｃ２７］
前記１つまたは複数のＤ２Ｄ信号の前記１つまたは複数のデータ部分と前記１つまたは複数の基準信号とは、物理サイドリンク共有チャネル（ＰＳＳＣＨ）上で受信される、
［Ｃ２６］に記載のＵＥ。
［Ｃ２８］
前記１つまたは複数のＤ２Ｄ信号の前記１つまたは複数の制御信号は、物理サイドリンク制御チャネル（ＰＳＣＣＨ）上で受信される、
［Ｃ２６］に記載のＵＥ。
［Ｃ２９］
前記１つまたは複数のＤ２Ｄ信号の前記１つまたは複数のデータ部を受信するために使用される前記１つまたは複数のリソース要素の前記信号強度は、前記１つまたは複数のＤ２Ｄ信号の前記１つまたは複数のデータ部を受信するために使用される前記１つまたは複数のリソース要素の基準信号受信電力（ＲＳＲＰ）または基準信号受信品質（ＲＳＲＱ）のうちの少なくとも１つに基づく、
［Ｃ２１］に記載のＵＥ。
［Ｃ３０］
ワイヤレス通信のためのコンピュータ実行可能コードを記憶するコンピュータ可読媒体であって、
１つまたは複数の近接ＵＥからそれぞれ１つまたは複数のデバイスツーデバイス（Ｄ２Ｄ）信号を受信することと、
前記１つまたは複数のＤ２Ｄ信号の１つまたは複数の基準信号を受信するために使用される１つまたは複数のリソース要素の信号強度、または前記１つまたは複数のＤ２Ｄ信号の１つまたは複数のデータ部を受信するために使用される１つまたは複数のリソース要素の信号強度のうちの少なくとも１つに少なくとも部分的に基づいて、前記１つまたは複数のＤ２Ｄ信号の信号強度を測定することと
を行うためのコードを備える、コンピュータ可読媒体。